(57)【要約】【課題】デバイスの過電圧や過電流を回避し、安定に動作することが可能なセンサ制御技術を提供する。【解決手段】ＣＣＤ２０７は、読取対象の原稿からの反射光を光電変換して画像信号を生成してこれをＥＦ３０５に出力する。ＥＦ３０５は、ＣＣＤ２０７から出力された画像信号が入力されるとこれをバッファしてＡＣ結合してこれをＡＦＥ３０６に出力する。ＡＦＥ３０６は、ＥＦ３０５から出力された画像信号が入力されるとこれのサンプル・ホールドやＡ／Ｄ変換などの信号処理を行う。ＲＳＴ３１１は、3.3V,5V,10Vの各電源の電圧を検出し、検出結果に応じて、リセット信号をＴＧ３０２に出力する。ＴＧ３０２は、ＲＳＴ３１１から出力されたリセット信号に応じて、ＣＣＤ２０７を駆動させるためのＣＣＤ駆動信号と、ＡＦＥ３０６を駆動させるためのＡＦＥ駆動信号と、各種ゲート信号とを発生させる。【選択図】図８
2010219631.tif 000002
【特許請求の範囲】
【請求項１】
被写体からの反射光を光電変換して画像信号を出力するセンサ素子と、
前記センサ素子を駆動する駆動ドライバと、
前記センサ素子が出力した画像信号に対して信号処理を行う信号処理回路と、
前記センサ素子及び前記信号処理回路を各々駆動させるためのタイミング信号を発生させるタイミング発生回路と、
前記センサ素子、前記駆動ドライバ、前記信号処理回路及び前記タイミング発生回路のそれぞれに印加される電源の電圧が全て立ち上がったとき、前記タイミング信号を発生させ、いずれか１つの電源の電圧が立ち下がったとき、前記タイミング信号を発生させない第１制御信号を出力する制御信号生成手段とを備え、
前記タイミング発生回路は、前記制御信号生成手段が出力した前記第１制御信号に応じて、前記タイミング信号を発生させる
ことを特徴とするセンサ制御回路。
【請求項２】
前記センサ素子が出力した画像信号をバッファするバッファ回路を更に備え、
前記バッファ回路は、前記制御信号生成手段が出力した前記第１制御信号が前記タイミング信号を発生させるものである場合に、前記画像信号を前記信号処理回路へ出力する
ことを特徴とする請求項１に記載のセンサ制御回路。
【請求項３】
前記センサ素子が出力した画像信号をバッファするバッファ回路を更に備え、
前記タイミング発生回路は、前記制御信号生成手段が出力した前記制御信号が前記タイミング信号を発生させないものである場合に、前記信号処理回路をリセットさせる第２制御信号を出力し、前記制御信号生成手段が出力した前記制御信号が前記タイミング信号を発生させるものである場合に、前記信号処理回路のリセットを解除させる第２制御信号を出力し、
前記バッファ回路は、前記タイミング発生回路が出力した前記第２制御信号が前記タイミング信号を発生させるものである場合に、前記画像信号を前記信号処理回路へ出力する
ことを特徴とする請求項１に記載のセンサ制御回路。
【請求項４】
光を照射する照明手段と、
前記照明手段の点灯及び消灯を制御する光源制御手段と、
前記照明手段を走行体で支持し原稿台に載置された被写体と相対的に移動させる移動手段と、
前記光源制御手段が前記照明手段を点灯させることにより照明された被写体の反射光を光電変換して画像信号を出力するセンサ素子と、
前記センサ素子を駆動する駆動ドライバと、
前記センサ素子が出力した画像信号に対して信号処理を行う信号処理回路と、
前記センサ素子及び前記信号処理回路を各々駆動させるためのタイミング信号を発生させるタイミング発生回路と、
前記センサ素子、前記駆動ドライバ、前記信号処理回路及び前記タイミング発生回路のそれぞれに印加される電源の電圧が全て立ち上がったとき、前記タイミング信号を発生させ、いずれか１つの電源の電圧が立ち下がったとき、前記タイミング信号を発生させない制御信号を前記タイミング発生回路に出力する制御信号生成手段とを備え、
前記タイミング発生回路は、前記制御信号生成手段が出力した前記第１制御信号に応じて、前記タイミング信号を発生させる
ことを特徴とする画像読取装置。
【請求項５】
請求項４に記載の画像読取装置と、
前記信号処理回路が前記信号処理を行った前記画像信号を用いて、記録媒体に画像を形成する画像形成手段とを備える
ことを特徴とする画像形成装置。
【発明の詳細な説明】
【技術分野】
【０００１】
本発明は、センサ制御回路、画像読取装置及び画像形成装置に関する。
【背景技術】
【０００２】
近年では、スキャナなどの画像読取装置や複合機などの画像形成装置に対して、高画質、高生産性、低価格化、さらにネットワーク・セキュリティ対応といった多種多様な機能や性能が要求されている。このような多種多様な機能の要求に対し、画像形成装置のメーカーでは、製品モデルのラインナップを揃えて対応している。しかし、製品モデルの数分の製品数を開発することは開発コストやリソース面で困難であり現実的に不可能である。そこで、メーカーでは各製品モデルの部品や機能モジュールの共通化をするなどして対応している。
【０００３】
一方、スキャナにあるセンサ制御基板は、CCD（Charge Coupled Device）やアナログ信号回路（AFE:Analog-Front-End）、タイミング発生回路（TG）、駆動ドライバ（DRV）などの各デバイスで構成される。CCDは、原稿から反射された反射光の光電変換を行って画像信号を生成し、AFEは、光電変換された画像信号のサンプル・ホールドやA/D変換を行い、TGは、CCDやAFEの駆動信号を発生させ、DRVは、CCDやAFEの駆動を行う。このとき、各デバイスの電源は異なり、センサ制御基板内ではマルチ電源となる。このため、異電源間のI/F（interface）が存在し、各電源の電圧の立ち上がり及び立ち下がりのシーケンス（電源シーケンスという）によっては、デバイスの誤動作や故障、最悪の場合は破壊を招く恐れがある。例えば、デバイスの電源の電圧が立ち上がる前にデバイスに信号が入力されような場合である。つまり、センサ制御基板に供給する電源シーケンスとして許容できないシーケンスがあることになり、制約をもつことになる。しかし、電源シーケンスは製品モデルのシステムに繋がる負荷や使用モードでも大きく異なる。このため、これまでセンサ制御基板はシステム毎に特化した構成をとり、各製品モデルでの共通化が困難であった。尚、例えば、AFEの過電圧を保護するための技術が開発されている（例えば特許文献１〜２参照）。
【発明の概要】
【発明が解決しようとする課題】
【０００４】
しかし、特許文献１〜２の技術においても、電源シーケンス、つまりシステムによっては、AFEの過電圧を保護することができない場合がある。
【０００５】
本発明は、上記に鑑みてなされたものであって、デバイスの過電圧や過電流を回避し、安定に動作することが可能なセンサ制御回路、画像読取装置及び画像形成装置を提供することを目的とする。
【課題を解決するための手段】
【０００６】
上述した課題を解決し、目的を達成するために、本発明は、センサ制御回路であって、被写体からの反射光を光電変換して画像信号を出力するセンサ素子と、前記センサ素子を駆動する駆動ドライバと、前記センサ素子が出力した画像信号に対して信号処理を行う信号処理回路と、前記センサ素子及び前記信号処理回路を各々駆動させるためのタイミング信号を発生させるタイミング発生回路と、前記センサ素子、前記駆動ドライバ、前記信号処理回路及び前記タイミング発生回路のそれぞれに印加される電源の電圧が全て立ち上がったとき、前記タイミング信号を発生させ、いずれか１つの電源の電圧が立ち下がったとき、前記タイミング信号を発生させない第１制御信号を出力する制御信号生成手段とを備え、前記タイミング発生回路は、前記制御信号生成手段が出力した前記第１制御信号に応じて、前記タイミング信号を発生させることを特徴とする。
【０００７】
また、本発明は、画像読取装置であって、光を照射する照明手段と、前記照明手段の点灯及び消灯を制御する光源制御手段と、前記照明手段を走行体で支持し原稿台に載置された被写体と相対的に移動させる移動手段と、前記光源制御手段が前記照明手段を点灯させることにより照明された被写体の反射光を光電変換して画像信号を出力するセンサ素子と、前記センサ素子を駆動する駆動ドライバと、前記センサ素子が出力した画像信号に対して信号処理を行う信号処理回路と、前記センサ素子及び前記信号処理回路を各々駆動させるためのタイミング信号を発生させるタイミング発生回路と、前記センサ素子、前記駆動ドライバ、前記信号処理回路及び前記タイミング発生回路のそれぞれに印加される電源の電圧が全て立ち上がったとき、前記タイミング信号を発生させ、いずれか１つの電源の電圧が立ち下がったとき、前記タイミング信号を発生させない制御信号を前記タイミング発生回路に出力する制御信号生成手段とを備え、前記タイミング発生回路は、前記制御信号生成手段が出力した前記第１制御信号に応じて、前記タイミング信号を発生させることを特徴とする。
【発明の効果】
【０００８】
本発明によれば、デバイスの過電圧や過電流を回避し、安定に動作することが可能になる。
【図面の簡単な説明】
【０００９】
【図１】図１は、第１の実施の形態にかかる画像形成装置の例として複合機の外観を示す図である。
【図２】図２は、プリンタ１００の機構を示す図である。
【図３】図３は、スキャナ１０およびそれに装着されたＡＤＦ３０の、原稿画像読み取り機構を示す図である。
【図４】図４は、図１に示す複合機の画像処理系統のシステム構成を示す図である。
【図５】図５は、従来のセンサ制御基板の構成を例示する図である。
【図６】図６は、リセットＩＣの構成を例示する図である。
【図７】図７は、ＲＳＴ３０１が出力するリセット信号（XRST）、ＴＧ３０２が出力する信号及び電源のシーケンスを示す図である。
【図８】図８は、このような機能を実現させるためのセンサ制御基板３１０の構成を例示する図である。
【図９】図９は、ＲＳＴ３１１の内部構成を例示する図である。
【図１０】図１０は、ＲＳＴ３１１の内部構成の他の例を示す図である。
【図１１】図１１は、ＲＳＴ３１１の内部構成の他の例を示す図である。
【図１２】図１２は、ＲＳＴ３１１が出力するリセット信号（XRST）及びＴＧ３０２が出力する信号のシーケンスを示す図である。
【図１３】図１３は、第２の実施の形態にかかるＲＳＴ３１１の内部構成を例示する図である。
【図１４】図１４は、ＲＳＴ３１１の内部構成の他の例を示す図である。
【図１５】図１５は、ＲＳＴ３１１が出力するリセット信号（XRST）、ＴＧ３０２が出力する信号及び電源のシーケンスを示す図である。
【図１６】図１６は、第３の実施の形態にかかるセンサ制御基板３２０の構成を例示する図である。
【図１７】図１７は、従来のＥＦ３０５の内部構成を例示する図である。
【図１８】図１８は、同実施の形態にかかるＥＦ３２１の内部構成を例示する図である。
【図１９】図１９は、第４の実施の形態にかかるセンサ制御基板３３０の構成を例示する図である。
【図２０】図２０は、同実施の形態にかかるＥＦ３３１の内部構成を例示する図である。
【図２１】図２１は、ＲＳＴ３１１が出力するリセット信号（XRST）及びＴＧ３０２が出力する信号のシーケンスを示す図である。
【発明を実施するための形態】
【００１０】
以下に添付図面を参照して、この発明にかかるセンサ制御回路、画像読取装置及び画像形成装置の最良な実施の形態を詳細に説明する。
【００１１】
（１）構成
まず、本実施の形態にかかるセンサ制御回路を有する画像読取装置を備える画像形成装置の構成について説明する。図１は、画像形成装置の例として、コピー機能、プリント機能及びファクシミリ機能を複合的に有しフルカラーで印刷可能な複合機の外観を示す図である。この複合機は、大略で、自動原稿送り装置（ＡＤＦ）３０と、操作ボード２０と、スキャナ１０と、プリンタ１００の各ユニットで構成されている。ステープラ及び作像された用紙を積載可能なトレイ付きのフィニッシャ３４と、両面ドライブユニット３３と、増設給紙バンク３５と、大容量給紙トレイ３６は、プリンタ１００に装着されているが、これらはプリンタ１００から分離可能な周辺ユニットであり、各々動力機器ドライバやセンサ入力およびコントローラを有する制御ボードを有して、画像形成装置本体であるプリンタ１００の制御ボード（のプロセスコントローラ１３１：図４）と直接または間接に通信を行いタイミング制御されて用紙の送給，搬送の動作を行う。なお、操作ボード２０と、ＡＤＦ３０付きのカラースキャナ１０もプリンタ１００から分離可能なユニットであり、カラースキャナ１０も動力機器ドライバやセンサ入力およびコントローラを有する制御ボードを有して、プリンタ１００の制御ボードと直接または間接に通信を行いタイミング制御されて原稿画像の読み取りを行う。
【００１２】
機内の画像データ処理装置ＡＣＰ（図４）には、パソコンＰＣが接続したＬＡＮ（Ｌｏｃａｌ  Ａｒｅａ  Ｎｅｔｗｏｒｋ）が接続されており、ファクシミリコントロールユニットＦＣＵ（図４）には、電話回線ＰＮ（ファクシミリ通信回線）に接続された交換器ＰＢＸが接続されている。プリンタ１００のプリント済の用紙は、排紙トレイ１０８上またはフィニッシャ３４に排出される。
【００１３】
図２は、プリンタ１００の機構を示す図である。この実施の形態にかかるプリンタ１００は、レーザプリンタである。このレーザプリンタ１００は、マゼンダ（Ｍ），シアン（Ｃ），イエロー（Ｙ）および黒（ブラック：Ｋ）の各色の画像を形成するための４組のトナー像形成ユニットが、転写紙の移動方向（図中の右下から左上方向ｙ）に沿ってこの順に配置されている。即ち、４連ドラム方式のフルカラー画像形成装置である。
【００１４】
これらマゼンダ（Ｍ），シアン（Ｃ），イエロー（Ｙ）および黒（Ｋ）のトナー像形成ユニットは、それぞれ、感光体ドラム１１１Ｍ，１１１Ｃ，１１１Ｙおよび１１１Ｋを有する感光体ユニット１１０Ｍ，１１０Ｃ，１１０Ｙおよび１１０Ｋと、現像ユニット１２０Ｍ，１２０Ｃ，１２０Ｙおよび１２０Ｋとを備えている。また、各トナー像形成部の配置は、各感光体ユニット内の感光体ドラム１１１Ｍ，１１１Ｃ，１１１Ｙおよび１１１Ｋの回転軸が水平ｘ軸（主走査方向）に平行になるように、且つ、転写紙移動方向ｙ（副走査方向）に所定ピッチの配列となるように、設定されている。
【００１５】
また、レーザプリンタ１００は、上記トナ−像形成ユニットのほか、レーザ走査による光書込ユニット１０２、給紙カセット１０３，１０４、レジストローラ対１０５、転写紙を担持して各トナ−像形成部の転写位置を通過するように搬送する転写搬送ベルト１６０を有する転写ベルトユニット１０６、ベルト定着方式の定着ユニット１０７、排紙トレイ１０８，両面ドライブ（面反転）ユニット３３等を備えている。また、レーザプリンタ１００は、図示していない手差しトレイ、トナ−補給容器、廃トナーボトル、なども備えている。
【００１６】
光書込ユニット１０２は、光源、ポリゴンミラー、ｆ−θレンズ、反射ミラー等を備え、画像データに基づいて各感光体ドラム１１１Ｍ，１１１Ｃ，１１１Ｙおよび１１１Ｋの表面にレーザ光を、ｘ方向に振り走査しながら照射する。また図２上の一点鎖線は、転写紙の搬送経路を示している。給紙カセット１０３，１０４から給送された転写紙は、図示しない搬送ガイドで案内されながら搬送ローラで搬送され、レジストローラ対１０５に送られる。このレジストローラ対１０５により所定のタイミングで転写搬送ベルト１６０に送出された転写紙は転写搬送ベルト１６０で担持され、各トナ−像形成部の転写位置を通過するように搬送される。
【００１７】
各トナー像形成部の感光体ドラム１１１Ｍ，１１１Ｃ，１１１Ｙおよび１１１Ｋに形成されたトナー像が、転写搬送ベルト１６０で担持され搬送される転写紙に転写され、各色トナー像の重ね合わせ即ちカラー画像が形成された転写紙は、定着ユニット１０７に送られる。すなわち転写は、転写紙上にじかにトナー像を転写する直接転写方式である。定着ユニット１０７を通過する時トナー像が転写紙に定着する。トナー像が定着した転写紙は、排紙トレイ１０８，フィニッシャ３６又は両面ドライブユニット３３に排出又は送給される。
【００１８】
イエローＹのトナ−像形成ユニットの概要を次に説明する。他のトナ−像形成ユニットも、イエローＹのものと同様な構成である。イエローＹのトナー像形成ユニットは、前述のように感光体ユニット１１０Ｙ及び現像ユニット１２０Ｙを備えている。感光体ユニット１１０Ｙは、感光体ドラム１１１Ｙのほか、感光体ドラム表面に潤滑剤を塗布するブラシローラ，感光体ドラム表面をクリーニングする揺動可能なブレード，感光体ドラム表面に光を照射する除電ランプ，感光体ドラム表面を一様帯電する非接触型の帯電ローラ、等を備えている。
【００１９】
感光体ユニット１１０Ｙにおいて、交流電圧が印加された帯電ローラにより一様帯電された感光体ドラム１１１Ｙの表面に、光書込ユニット１０２で、プリントデータに基づいて変調されポリゴンミラーで偏向されたレーザ光Ｌが走査されながら照射されると、感光体ドラム１１１Ｙの表面に静電潜像が形成される。感光体ドラム１１ＩＹ上の静電潜像は、現像ユニット２０Ｙで現像されてイエローＹのトナー像となる。転写搬送ベルト１６０上の転写紙が通過する転写位置では、感光体ドラム１１ＩＹ上のトナー像が転写紙に転写される。トナ−像が転写された後の感光体ドラム１１１Ｙの表面は、ブラシローラで所定量の潤滑剤が塗布された後、ブレードでクリーニングされ、除電ランプから照射された光によって除電され、次の静電潜像の形成に備えられる。
【００２０】
現像ユニット１２０Ｙは、磁性キャリア及びマイナス帯電のトナ−を含む二成分現像剤を収納している。そして、現像ケース１２０Ｙの感光体ドラム側の開口から一部露出するように配設された現像ローラや、搬送スクリュウ、ドクタブレード、トナ−濃度センサ，粉体ポンプ等を備えている。現像ケース内に収容された現像剤は、搬送スクリュウで攪拌搬送されることにより摩擦帯電する。そして、現像剤の一部が現像ローラの表面に担持される。ドクタブレードが現像ローラの表面の現像剤の層厚を均一に規制し、現像ローラの表面の現像剤中のトナーが感光体ドラムに移り、これにより静電潜像に対応するトナー像が感光体ドラム１１１Ｙ上に現われる。現像ケース内の現像剤のトナー濃度はトナ−濃度センサで検知される。濃度不足の時には、粉体ポンプが駆動されてトナーが補給される。
【００２１】
転写ベルトユニット１０６の転写搬送ベルト１６０は、各トナ−像形成部の感光体ドラム１１１Ｍ，１１１Ｃ，１１１Ｙおよび１１１Ｋに接触対向する各転写位置を通過するように、４つの接地された張架ローラに掛け回されている。張架ローラの１つが１０９である。これらの張架ローラのうち、２点鎖線矢印で示す転写紙移動方向上流側の入口ローラには、電源から所定電圧が印加された静電吸着ローラが対向するように配置されている。これらの２つのローラの間を通過した転写紙は、転写搬送ベルト１６０上に静電吸着される。また、転写紙移動方向下流側の出口ローラは、転写搬送ベルトを摩擦駆動する駆動ローラであり、図示しない駆動源に接続されている。また、転写搬送ベルト１６０の外周面には、電源から所定のクリーニング用電圧が印加されたバイアスローラが接触するように配置されている。このバイアスローラにより転写搬送ベルト１６０上に付着したトナ−等の異物が除去される。
【００２２】
また、感光体ドラム１１１Ｍ，１１１Ｃ，１１１Ｙおよび１１１Ｋに接触対向する接触対向部を形成している転写搬送ベルト１６０の裏面に接触するように、転写バイアス印加部材を設けている。これらの転写バイアス印加部材は、マイラ製の固定ブラシであり、各転写バイアス電源から転写バイアスが印加される。この転写バイアス印加部材で印加された転写バイアスにより、転写搬送ベルト１６０に転写電荷が付与され、各転写位置において転写搬送ベルト１６０と感光体ドラム表面との間に所定強度の転写電界が形成される。
【００２３】
転写搬送ベルト１６０で搬送され、感光体ドラム１１１Ｍ，１１１Ｃ，１１１Ｙおよび１１１Ｋに形成された各色トナー像が転写された用紙は、定着装置１０７に送り込まれてそこで、トナー像が加熱，加圧によって用紙に熱定着される。熱定着後、用紙は左側板の上部のフィニッシャ３４への排紙口３４ｏｔからフィニッシャ３４に送り込まれる。又は、プリンタ本体の上面の排紙トレイ１０８に排出される。
【００２４】
４個の感光体ドラムの中の、マゼンダ像，シアン像およびイエロー像形成用の感光体ドラム１１１Ｍ，１１１Ｃおよび１１１Ｙは、図示しないカラードラム駆動用の１個の電気モータ（カラードラムモータ；カラードラムＭ：図示略）により、動力伝達系及び減速機（図示略）を介して１段減速にて駆動される。ブラック像形成用の感光体ドラム１１１Ｋはブラックドラム駆動用の１個の電気モータ（Ｋドラムモータ：図示略）により、動力伝達系及び減速機（図示略）を介して１段減速にて駆動される。また、転写搬送ベルト１６０は、上記Ｋドラムモータによる動力伝達系を介した転写駆動ローラの駆動により、回動移動する。従って、上記Ｋドラムモータは、Ｋ感光体ドラム１１Ｋと転写搬送ベルト６０を駆動し、上記カラードラムモータは、Ｍ，Ｃ，Ｙ感光体ドラム１１Ｍ，１１Ｃ，１１Ｙを駆動する。
【００２５】
また、Ｋ現像器１２０Ｋは、定着ユニット１０７を駆動している電気モータ（図示略）で、動力伝達系およびクラッチ（図示略）を介して駆動される。Ｍ，Ｃ，Ｙ現像器１２０Ｍ，１２０Ｃ，１２０Ｙは、レジストローラ１０５を駆動する電気モータ（図示略）で、動力伝達系およびクラッチ（図示略）を介して駆動される。現像器１２０Ｍ，１２０Ｃ，１２０Ｙ，１２０Ｋは絶えず駆動されている訳ではなく、所定タイミングを持って駆動出来る様、上記クラッチにより駆動伝達を受ける。
【００２６】
再度図１を参照する。フィニッシャ３４は、スタッカトレイすなわち積載降下トレイ３４ｈｓおよびソートトレイ群３４ｓｔを持ち、積載降下トレイ３４ｈｓに用紙（プリント済紙，転写済紙）を排出するスタッカ排紙モードと、ソートトレイ群３４ｓｔに排紙するソータ排紙モードを持つ。
【００２７】
プリンタ１００からフィニッシャ３４に送り込まれた用紙は、左上方向に搬送されそして上下逆Ｕ字型の搬送路を経て、下向きに搬送方向を切換えてから、設定されているモードに応じて、スタッカ排紙モードのときには排出口から積載降下トレイ３４ｈｓに排出される。ソータ排紙モードのときには、ソータトレイ群３４ｓｔの、そのとき排出中の用紙が割り当てられたソータトレイに排出される。
【００２８】
ソータ排紙モードが指定されるとフィニッシャ内排紙コントローラは、最下部の重ね待避位置に置いたソートトレイ群３４ｓｔを、図１上で２点鎖線で示す使用位置に上駆動し、ソータトレイ間の間隔を広げる。ソータ排紙モードでは、１回（一人）の設定枚数の複写又はプリントは、部ソートにソータ排紙モードが設定されているときには、同一原稿（画像）をプリントした各転写紙をソートトレイ群３４ｓｔの各トレイに仕分け収納する。頁ソートにソータ排紙モードが設定されているときには、各トレイを各頁（画像）に割り当てて、同一頁をプリントした各転写紙を１つのソートトレイに積載する。
【００２９】
次に、画像読取装置であるスキャナ１０に係る構成について説明する。図３は、スキャナ１０およびそれに装着されたＡＤＦ３０の、原稿画像読み取り機構を示す図である。このスキャナ１０のコンタクトガラス２３１上に置かれた被写体である原稿は、スキャン時に、照明ランプ２３２により照明され、原稿から反射された反射光が第１ミラー２３３で副走査方向ｙと平行に反射される。照明ランプ２３２および第１ミラー２３３は、図示しない、副走査方向ｙに定速駆動される第１キャリッジに搭載されている。第１キャリッジと同方向にその１／２の速度で駆動される、図示しない第２キャリッジには第２および第３ミラー２３４，２３５が搭載されており、第１ミラー２３３が反射した反射光は第２ミラー２３４で下方向（ｚ）に反射され、そして第３ミラー２３５で副走査方向ｙに反射されて、レンズ２３６により集束され、ＣＣＤ２０７に照射され、電気信号に変換される。このようにして、原稿に表される画像を表す画像信号が生成される。第１および第２キャリッジは、走行体モーター２３８を駆動源として、ｙ方向に往（原稿走査），復（リタ−ン）駆動される。
【００３０】
スキャナ１０には、自動原稿供給装置ＡＤＦ３０が装着されている。ＡＤＦ３０の原稿トレイ２４１に積載された原稿は、ピックアップローラ２４２およびレジストローラ対２４３で搬送ドラム２４４と押さえローラ２４５の間に送り込まれて、搬送ドラム２４４に密着して読み取りガラス２４０の上を通過し、そして排紙ローラ２４６，２４７で、原稿トレイ２４１の下方の圧板兼用の排紙トレイ２４８上に排出される。原稿は、読み取りガラス２４０を通過する際に、その直下に移動している照明ランプ２３２により照射され、原稿の反射光は、第１ミラー２３３以下の光学系を介してＣＣＤ２０７に照射され光電変換される。
【００３１】
読み取りガラス２４０と原稿始端の位置決め用のスケール２５１との間には、白基準板２３９、ならびに、第１キャリッジを検出する基点センサ２４９がある。白基準板２３９は、照明ランプ２３２の個々の発光強度のばらつき，また主走査方向のばらつきや、ＣＣＤ２０７の画素毎の感度ムラ等が原因で、一様な濃度の原稿を読み取ったにもかかわらず、読み取りデータがばらつく現象を補正（シェーディング補正）するために用意されている。このシェーディング補正は、まず白基準板２３９を原稿のスキャン前に主走査方向１ライン分読み取り、この読み取った白基準データをメモリに記憶し、原稿を読み取るときは、原稿をスキャンした画素毎に、原稿に表される画像を表す画像信号を画像データとして前記メモリ上の対応する白基準データで割り算するものである。
【００３２】
図４は、図１に示す複合機の画像処理系統のシステム構成を示す図である。このシステムでは、読取ユニット１１と画像データ出力Ｉ／Ｆ（Ｉｎｔｅｒｆａｃｅ：インターフェイス）１２でなるスキャナ１０が、画像データ処理装置ＡＣＰの画像データインターフェース制御ＣＤＩＣ（以下単にＣＤＩＣと表記）に接続されている。画像データ処理装置ＡＣＰにはまた、プリンタ１００が接続されている。プリンタ１００は、画像データ処理装置ＡＣＰの画像データ処理器ＩＰＰ（Ｉｍａｇｅ  Ｐｒｏｃｅｓｓｉｎｇ  Ｐｒｏｃｅｓｓｏｒ；以下では単にＩＰＰと記述）から、書込みＩ／Ｆ１３４に記録画像データを受けて、作像ユニット１３５でプリントアウトする。作像ユニット１３５は、図２に示すものである。
【００３３】
画像データ処理装置ＡＣＰ（以下では単にＡＣＰと記述）は、パラレルバスＰｂ，画像メモリアクセス制御ＩＭＡＣ（以下では単にＩＭＡＣと記述），画像メモリであるメモリモジュールＭＥＭ（以下では単にＭＥＭと記述），システムコントローラ１，ＲＡＭ４，不揮発メモリ５，フォントＲＯＭ６，ＣＤＩＣ，ＩＰＰ等、を備える。パラレルバスＰｂには、ファクシミリ制御ユニットＦＣＵ（以下単にＦＣＵと記述）を接続している。操作ボード２０はシステムコントローラ１に接続している。
【００３４】
スキャナ１０の、原稿を光学的に読み取る読取ユニット１１は、原稿に対するランプ照射の反射光をセンサボードユニットＳＢＵ上のＣＣＤで光電変換して、原稿に表される画像をR,G,B形式で表現した画像信号を生成し、シェーディング補正して、これを画像データとして出力Ｉ／Ｆ１２を介してＣＤＩＣに送出する。
【００３５】
ＣＤＩＣは、画像データに関し、出力Ｉ／Ｆ１２，パラレルバスＰｂ，ＩＰＰ間のデータ転送，プロセスコントローラ１３１とＡＣＰの全体制御を司るシステムコントローラ１との間の通信をおこなう。また、ＲＡＭ１３２はプロセスコントローラ１３１のワークエリアとして使用され、不揮発メモリ１３３はプロセスコントローラ１３１の動作プログラム等を記憶している。
【００３６】
画像メモリアクセス制御ＩＭＡＣ（以下では単にＩＭＡＣと記述）は、ＭＥＭに対する画像データの書き込み／読み出しを制御する。システムコントローラ１は、パラレルバスＰｂに接続される各構成部の動作を制御する。また、ＲＡＭ４はシステムコントローラ１のワークエリアとして使用され、不揮発メモリ５はシステムコントローラ１の動作プログラム等を記憶している。
【００３７】
操作ボード２０は、ＡＣＰがおこなうべき処理を入力する。たとえば、処理の種類（複写、ファクシミリ送信、画像読込、プリント等）および処理の枚数等を入力する。これにより、画像データ制御情報の入力をおこなうことができる。
【００３８】
スキャナ１０の読取ユニット１１より読み取られた原稿の画像を表す画像信号は、スキャナ１０のＳＢＵ（センサボードユニット）でシェーディング補正２１０で施され、R,G,B形式で表現される画像データとして、ＩＰＰで、スキャナガンマ補正，フィルタ処理などの、読取り歪を補正する画像処理が施されてから、ＭＥＭに蓄積される。ＭＥＭの画像データをプリントアウトするときには、ＩＰＰにおいてＲＧＢ信号をＹＭＣＫ信号に色変換し、プリンタガンマ変換，階調変換，および、ディザ処理もしくは誤差拡散処理などの階調処理などの画質処理をおこなう。画質処理後の画像データはＩＰＰから書込みＩ／Ｆ１３４に転送される。書込みＩ／Ｆ１３４は、階調処理された画像データに対し、パルス幅とパワー変調によりレーザー制御をおこなう。その後、画像データは作像ユニット１３５へ送られ、作像ユニット１３５が転写紙上に画像を形成する。
【００３９】
ＩＭＡＣは、システムコントローラ１の制御に基づいて、画像データとＭＥＭのアクセス制御，ＬＡＮ上に接続した図示しないパソコンＰＣ（以下では単にＰＣと表記）のプリント用データの展開，ＭＥＭの有効活用のための画像データの圧縮／伸張をおこなう。
【００４０】
ＩＭＡＣへ送られた画像データは、データ圧縮後、ＭＥＭに蓄積され、蓄積された画像データは必要に応じて読み出される。読み出された画像データは、伸張され、本来の画像データに戻しＩＭＡＣからパラレルバスＰｂを経由してＣＤＩＣへ戻される。ＣＤＩＣからＩＰＰへの転送後は画質処理をして書込みＩ／Ｆ１３４に出力し、作像ユニット１３５において転写紙上に画像を形成する。
【００４１】
画像データの流れにおいて、パラレルバスＰｂおよびＣＤＩＣでのバス制御により、デジタル複写機の機能を実現する。ファクシミリ送信は、スキャナ１０で読取られた原稿の画像を表す画像信号をＩＰＰにて画像処理を実施し、ＣＤＩＣおよびパラレルバスＰｂを経由して画像データとしてＦＣＵへ転送することにより行なわれる。ＦＣＵは、通信網へのデータ変換をおこない、それを公衆回線ＰＮへファクシミリデータとして送信する。ファクシミリ受信は、公衆回線ＰＮからの回線データをＦＣＵにて画像データへ変換し、パラレルバスＰｂおよびＣＤＩＣを経由してＩＰＰへ転送することによりおこなわれる。この場合、特別な画質処理はおこなわず、書込みＩ／Ｆ１３４から出力し、作像ユニット１３５において転写紙上に画像を形成する。
【００４２】
複数ジョブ、たとえば、コピー機能，ファクシミリ機能，プリント機能が並行に動作する状況において、読取ユニット１１，作像ユニット１３５およびパラレルバスＰｂの使用権のジョブへの割り振りは、システムコントローラ１およびプロセスコントローラ１３１において制御する。プロセスコントローラ１３１は画像データの流れを制御し、システムコントローラ１はシステム全体を制御し、各リソースの起動を管理する。また、デジタル複写機の機能選択は、操作ボード２０においておこなわれ、操作ボード２０の選択入力によって、コピー機能，ファクシミリ機能等の処理内容を設定する。
【００４３】
システムコントローラ１とプロセスコントローラ１３１は、パラレルバスＰｂ，ＣＤＩＣおよびシリアルバスＳｂを介して相互に通信をおこなう。具体的には、ＣＤＩＣ内においてパラレルバスＰｂとシリアルバスＳｂとのデータ，インターフェースのためのデータフォーマット変換をおこなうことにより、システムコントローラ１とプロセスコントローラ１３１間の通信を行う。
【００４４】
各種バスインターフェース、たとえばパラレルバスＩ／Ｆ  ７、シリアルバスＩ／Ｆ  ９、ローカルバスＩ／Ｆ  ３およびネットワークＩ／Ｆ  ８は、ＩＭＡＣに接続されている。コントローラーユニット１は、ＡＣＰ全体の中での独立性を保つために、複数種類のバス経由で関連ユニットと接続する。
【００４５】
システムコントローラ１は、パラレルバスＰｂを介して他の機能ユニットの制御をおこなう。また、パラレルバスＰｂは画像データの転送に供される。システムコントローラ１は、ＩＭＡＣに対して、画像データをＭＥＭに蓄積させるための動作制御指令を発する。この動作制御指令は、ＩＭＡＣ，パラレルバスＩ／Ｆ７、パラレルバスＰｂを経由して送られる。この動作制御指令に応答して、画像データはＣＤＩＣからパラレルバスＰｂおよびパラレルバスＩ／Ｆ  ７を介してＩＭＡＣに送られる。そして、画像データはＩＭＡＣの制御によりＭＥＭに格納されることになる。
【００４６】
一方、ＡＣＰのシステムコントローラ１は、ＰＣからのプリンタ機能としての呼び出しの場合、プリンタコントローラとネットワーク制御およびシリアルバス制御として機能する。ネットワーク経由の場合、ＩＭＡＣはネットワークＩ／Ｆ８を介してプリント出力要求データを受け取る。
【００４７】
汎用的なシリアルバス接続の場合、ＩＭＡＣはシリアルバスＩ／Ｆ  ９経由でプリント出力要求データを受け取る。汎用のシリアルバスＩ／Ｆ  ９は複数種類の規格に対応しており、たとえばＵＳＢ（Ｕｎｉｖｅｒｓａｌ  Ｓｅｒｉａｌ  Ｂｕｓ）、１２８４または１３９４等の規格のインターフェースに対応する。
【００４８】
ＰＣからのプリント出力要求データはシステムコントローラ１により画像データに展開される。その展開先はＭＥＭ内のエリアである。展開に必要なフォントデータは、ローカルバスＩ／Ｆ  ３およびローカルバスＲｂ経由でフォントＲＯＭ６を参照することにより得られる。ローカルバスＲｂは、このコントローラ１を不揮発メモリ５およびＲＡＭ４と接続する。
【００４９】
シリアルバスＳｂに関しては、ＰＣとの接続のための外部シリアルポート２以外に、ＡＣＰの操作部である操作ボード２０との転送のためのインターフェースもある。これはプリント展開データではなく、ＩＭＡＣ経由でシステムコントローラ１と通信し、処理手順の受け付け、システム状態の表示等をおこなう。
【００５０】
システムコントローラ１とＭＥＭおよび各種バスとのデータ送受信は、ＩＭＡＣを経由しておこなわれる。ＭＥＭを使用するジョブはＡＣＰ全体の中で一元管理される。
【００５１】
次に、図４に示したスキャナ１０のセンサ制御基板の構成について詳細に説明する。まず、従来のセンサ制御基板の構成について図５を用いて説明する。センサ制御基板３００は、リセット信号生成部（ＲＳＴ）３０１、タイミング信号発生部（ＴＧ）３０２、駆動ドライバ（ＤＲＶ）３０３、図３に示されるＣＣＤ２０７、ＣＣＤ出力バッファ（エミッタフォロワ、ＥＦ）３０５及びＡＦＥ３０６を備える。電源がＯＮされると、タイミング信号発生部（ＴＧ）３０２には3.3Vの電源から電圧が印加され、ＤＲＶ３０３には5Vの電源から電圧が印加され、ＣＣＤ２０７には10Vの電源から電圧が印加され、ＥＦ３０５には10Vの電源から電圧が印加され、ＡＦＥ３０６には3.3Vの電源から電圧が印加されて、各々動作可能になる。
【００５２】
ＴＧ３０２は、ＣＣＤ２０７を駆動させるためのＣＣＤ駆動信号（CCD_CLK）と、ＡＦＥ３０６を駆動させるためのＡＦＥ駆動信号（SHD、MCLK）と、１ラインに１回アサートされる各種ゲート信号（GATE）とを発生させ、ＣＣＤ駆動信号（CCD_CLK）をＤＲＶ３０３を介してＣＣＤ２０７に供給し、ＡＦＥ駆動信号（SHD）をＤＲＶ３０３を介してＡＦＥ３０６に供給する。尚、ＡＦＥ駆動信号（SHD）はＡＦＥ３０６に供給される電源の電圧に合わせ分圧しているが、同図では省略している。ＴＧ３０２は、後述するＲＳＴ３０１から出力されたLowのリセット信号（XRST）が入力されるとリセットされ、ＣＣＤ駆動信号（CCD_CLK）、ＡＦＥ駆動信号（SHD、MCLK）及び各種ゲート信号（GATE）を発生させない。また、ＴＧ３０２は、ＲＳＴ３０１から出力されたHighのリセット信号（XRST）が入力されるとリセットが解除され、ＣＣＤ駆動信号（CCD_CLK）、ＡＦＥ駆動信号（SHD、MCLK）及び各種ゲート信号（GATE）を発生させる。そして、ＴＧ３０２は、自身のリセット状態に応じて、リセット信号（XAFERST）を出力する。具体的には、ＴＧ３０２は、ＴＧ３０２がリセットされている状態ではLowのリセット信号（XAFERST）を出力し、ＴＧ３０２がリセットされない状態のとき、即ち、リセットが解除されている状態のときHighのリセット信号（XAFERST）を出力する。また、ＴＧ３０２は、センサ制御基板３００とＣＤＩＣ及びＩＭＡＣを介して接続されるシステムコントローラ１によってもリセット状態が制御される。具体的には、システムコントローラ１は、不揮発性メモリ５に記憶されたソフトウェアを実行して、シリアル通信信号（SCI）によってＴＧ３０２のレジスタのリード／ライトを行って、ＴＧ３０２のリセット状態を変更する。
【００５３】
ＣＣＤ２０７は、読取対象の原稿からの反射光を光電変換して画像信号（SIG）を生成してこれをＥＦ３０５に出力するセンサ素子である。ＥＦ３０５は、ＣＣＤ２０７から出力された画像信号（SIG）が入力されるとこれをバッファしてＡＣ結合してこれをＡＦＥ３０６に出力するバッファ回路である。ＡＦＥ３０６は、ＥＦ３０５から出力された画像信号（SIG）が入力されるとこれのサンプル・ホールドやＡ／Ｄ変換などの信号処理を行う信号処理回路である。また、ＡＦＥ３０６は、ＴＧ３０２から出力されたリセット信号（XAFERST）が入力されると、リセットされる。尚、ＡＦＥ３０６は、ＴＧ３０２と同様にして、システムコントローラ１によってもリセット状態が制御される。具体的には、システムコントローラ１は、ＴＧ３０２とＡＦＥ３０６との間のシリアル通信信号（AFESCI）を介してＡＦＥ３０６のレジスタのリード／ライトを行って、ＡＦＥ３０６のリセット状態を変更する。
【００５４】
ＲＳＴ３０１は、電源がＯＮした際にＴＧ３０２をリセット（ハ゜ワーオンリセット：POR）するためのものである。このＲＳＴ３０１は、通常はＴＧ３０２の電源（3.3V）の電圧を入力(VDD)として検出し、検出結果に応じて、Highのリセット信号（XRST）をＴＧ３０２に出力して、ＴＧ３０２のリセットを解除する。これは抵抗と容量のＲＣ回路でも実現できるが、図６に示すように、リセットＩＣと呼ばれる電源検出素子を用いるのが一般的である。
【００５５】
図７は、ＲＳＴ３０１が出力するリセット信号（XRST）、ＴＧ３０２が出力する信号及び電源のシーケンスを示す図である。同図においては、3.3V,5V,10V各電源の電圧の立ち上がり及び立ち下がりのシーケンス（電源シーケンス）として、3.3V,5V,10Vの順に立ち上がり、10V,5V,3.3Vの順に立ち下がるシーケンスを例示している。電源がＯＮした時、ＲＳＴ３０１は、Lowのリセット信号（XRST）を出力し、このため、ＴＧ３０２はリセットされた状態となり、上述したＣＣＤ駆動信号（CCD_CLK）、ＡＦＥ駆動信号（SHD、MCLK）及び各種ゲート信号（GATE）の出力をＯＦＦして、これらの信号を発生させない。そして、入力（VDD）が、ＴＧ３０２のリセットを解除するための閾値となる解除電圧（VDET+）まで立ち上がると任意の遅延時間（td）経過後に、ＲＳＴ３０１はHighのリセット信号（XRST）を出力し、このため、ＴＧ３０２は、リセットが解除された状態となり、ＣＣＤ駆動信号（CCD_CLK）、ＡＦＥ駆動信号（SHD、MCLK）及び各種ゲート信号（GATE）の出力をＯＮして、これらの信号を発生させる。電源がＯＦＦした時は入力（VDD）が、ＴＧ３０２をリセットするための閾値となる検出電圧（VDET-）まで立ち下がると、ＲＳＴ３０１は、Lowのリセット信号（XRST）を出力し、このため、ＴＧ３０２はリセットされた状態となり、上述したＣＣＤ駆動信号（CCD_CLK）、ＡＦＥ駆動信号（SHD、MCLK）及び各種ゲート信号（GATE）の出力をＯＦＦして、これらの信号を発生させない。上記の遅延時間tdはＲＳＴ３０１のリセットＩＣ内部の抵抗とCdで決まるため、Cdを適切な容量とすることで任意のtdを設定することができる。また、一般にリセットＩＣはトーテムポール出力（CMOS出力）とオープンドレイン出力とがあるが、ここでは後者としている。尚、同図に示されているように、10Vや5Vの電源が立ち上がっていない状態でもＴＧ３０２からの信号の出力がＯＮされるため、それらを電源に用いているデバイスであるＣＣＤ２０７やＤＲＶ３０３には過電圧がかかってしまう恐れがある。
【００５６】
このため、本実施の形態においては、ＴＧ３０２、ＤＲＶ３０３、ＣＣＤ２０７及びＡＦＥ３０６（ここではＴＧ３０２と同じ電源）を各々動作させるための電源の電圧を検出し、それら全ての電源の電圧が立ち上がった際にＴＧ３０２のリセットを解除し、ＴＧ３０２、ＤＲＶ３０３、ＣＣＤ２０７及びＡＦＥ３０６の電源のうち少なくとも１つでもその電圧が立ち下がれば、ＴＧ３０２をリセットさせる。図８は、このような機能を実現させるためのセンサ制御基板３１０の構成を例示する図である。同図に示されるように、ＲＳＴ３１１は、3.3V,5V,10Vの各電源の電圧を検出し、検出結果に応じて、リセット信号（XRST）をＴＧ３０２に出力する。次に、ＲＳＴ３０１の内部構成について説明する。図９は、ＲＳＴ３１１の内部構成を例示する図である。同図に示される構成では、図６に示したようなリセットＩＣを複数個用いて各リセットＩＣからの出力をワイヤードＯＲで接続される。即ち、3.3Vの電源の電圧を入力(VDD)として検出するリセットＩＣ、5Vの電源の電圧を入力(VDD)として検出するリセットＩＣ及び10Vの電源の電圧を入力(VDD)として検出するリセットＩＣからの各出力がワイヤードＯＲで接続される構成である。また、このようにリセットＩＣを複数用いるのではなく、リセットＩＣとトランジスタと抵抗と用いてＲＳＴ３１１を構成するようにしても良い。図１０は、この場合のＲＳＴ３１１の内部構成を例示する図である。同図に示される構成においては、トランジスタと抵抗と用いて3.3V,5V,10Vの各電源の電圧を検出し、この検出結果をリセットＩＣに入力する。また、リセットＩＣとダイオードと抵抗と用いてＲＳＴ３１１を構成するようにしても良い。図１１は、この場合のＲＳＴ３１１の内部構成を例示する図である。同図に示される構成においては、ダイオードと抵抗と用いて3.3V,5V,10Vの各電源の電圧を検出し、この検出結果をリセットＩＣに入力する。図１０，１１に示した構成によれば、図９に示した構成よりも、部品コストを抑制することができる。
【００５７】
図１２は、ＲＳＴ３１１が出力するリセット信号（XRST）及びＴＧ３０２が出力する信号のシーケンスを示す図である。同図においては、図７と同様の電源シーケンスを例示している。電源がＯＮした時、ＲＳＴ３０１は、Lowのリセット信号（XRST）を出力し、このため、ＴＧ３０２はリセットされた状態となり、上述したＣＣＤ駆動信号（CCD_CLK）、ＡＦＥ駆動信号（SHD、MCLK）及び各種ゲート信号（GATE）の出力をＯＦＦする。そして、入力（VDD）が解除電圧（VDET+）まで立ち上がると任意の遅延時間（td）経過後に、ＲＳＴ３０１はHighのリセット信号（XRST）を出力し、このため、ＴＧ３０２は、リセットが解除された状態となり、ＣＣＤ駆動信号（CCD_CLK）、ＡＦＥ駆動信号（SHD、MCLK）及び各種ゲート信号（GATE）の出力をＯＮする。この状態の時には、3.3V,5V,10Vの各電源の電圧が全て立ち上がっている状態である。従って、電源のＯＮ時に、ＣＣＤ２０７やＤＲＶ３０３の各デバイスに対して電源の電圧が立ち上がっていない状態で、ＴＧ３０２から信号が入力されるという状態を回避することができる。
【００５８】
尚、電源がＯＦＦした時は入力（VDD）が検出電圧（VDET-）まで立ち下がると、ＲＳＴ３０１は、Lowのリセット信号（XRST）を出力し、このため、ＴＧ３０２はリセットされた状態となり、上述したＣＣＤ駆動信号（CCD_CLK）、ＡＦＥ駆動信号（SHD、MCLK）及び各種ゲート信号（GATE）の出力をＯＦＦする。従って、電源のＯＦＦ時にも、ＣＣＤ２０７やＤＲＶ３０３の各デバイスに対して電源の電圧が立ち上がっていない状態で、ＴＧ３０２から信号が入力されるという状態を回避することができる。
【００５９】
以上のように、電源のＯＮ時に各々立ち上がる電源の電圧を検出して、最後に立ち上がる電源の電圧が立ち上がったときに、リセット信号（XRST）によりＴＧ３０２のリセットを解除し、このリセットの解除に応じてＴＧ３０２からの信号の出力をＯＮする。また、電源のＯＦＦ時に各々立ち下がる電源の電圧を検出して、最初に立ち下がる電源の電圧が立ち下がったときに、リセット信号（XRST）によりＴＧ３０２をリセットさせ、このリセットに応じて、ＴＧ３０２からの信号の出力をＯＦＦする。このような構成によれば、どのような電源シーケンスであっても、ＴＧ３０２から出力される信号が入力される各デバイスの過電圧や過電流を回避して、安定的に動作させることができる。従って、電源シーケンスの制約をなくすことができ、電源シーケンスが異なる製品モデル（システム）間でのセンサ制御基板の共通化を図れることができる。このため、画像読取装置や画像形成装置のメーカーは、安定的に動作する画像読取装置や画像形成装置を提供することができると共に、コストの削減を図ることができる。
【００６０】
[第２の実施の形態]
次に、センサ制御回路、画像読取装置及び画像形成装置の第２の実施の形態について説明する。なお、上述の第１の実施の形態と共通する部分については、同一の符号を使用して説明したり、説明を省略したりする。
【００６１】
（１）構成
上述したＴＧ３０２から出力される信号が入力される各デバイスの過電圧を効果的に回避するには、電源の電圧の立ち上がり時にはリセットを遅く解除し、電源の電圧の立ち下がり時には早くリセットすることが望ましい。つまり、電源の電圧についてより高い電圧を検出してリセット状態を変更させることが望ましい。しかし、リセットＩＣでは、高い電圧を検出できるものが少なく、また解除電圧と検出電圧とにヒステリシス特性をもっている。このため、リセットＩＣを用いてＲＳＴ３１１を構成した場合には、特に電源のＯＦＦ時に早くリセットすることができない場合がある。そこで本実施の形態においては、ＲＳＴ３１１の内部構成を、図９〜１１に示したものより、早くリセットできるように構成する。
【００６２】
図１３は、本実施の形態にかかるＲＳＴ３１１の内部構成を例示する図である。同図に示される構成においては、図１０に示した内部構成に加え、コンパレータとツェナーダイオードとを用いて、これらの出力をリセットＩＣの出力とワイヤードＯＲで接続している。このような構成では、入力される10Vの電源の電圧に対して10Vより高い電圧を検出可能である。具体的には、ツェナーダイオードがリファレンス電圧（Vref）を生成して、このリファレンス電圧（Vref）と電源の電圧（ここでは10Vを分圧した信号）とが入力され、コンパレータがこれらを比較して、その比較結果として、前者が後者よりも大きい場合にLowであり前者が後者より小さい場合にHighの比較信号（Vcp）を出力する。この比較信号（Vcp）をリセット信号（XRST）に用いる。このとき、リファレンス電圧（Vref）はヒステリシス特性がない一定値であるため、リセットＩＣに比べて検出電圧を高く設定することができる。この比較信号（Vcp）（厳密にはその反転信号）とリセットＩＣの出力とのＯＲをとって、リセット信号（XRST）の出力を制御する。また、コンパレータを、トランジスタと抵抗との差動増幅器で構成するようにしても良い。図１４は、この場合のＲＳＴ３１１の内部構成を例示する図である。同図に示される構成における動作は、図１３に示した構成の動作と略同様である。このような構成によれば、図１３に示した構成よりも、部品コストを抑制することができる。
【００６３】
尚、リセットＩＣとコンパレータとの両方で10Vの電源の電圧を検出しているのは、以下の理由からである。コンパレータは10Vの電源の電圧がある程度立ち上がっていないと動作しない。このため、コンパレータにおける検出結果のみを用いる構成であるとすると、コンパレータが動作していない期間は、highのリセット信号（XRST）を出力するため、この結果、10Vの電圧が立ち上がりきってなくてもＴＧ３０２のリセットが解除されてしまうことになる。これを防ぐためにリセットＩＣにおける検出結果とコンパレータの検出結果とのＯＲをとる構成としているのである。
【００６４】
図１５は、ＲＳＴ３１１が出力するリセット信号（XRST）、ＴＧ３０２が出力する信号及び電源のシーケンスを示す図である。同図においては、図７と同様の電源シーケンスを例示している。電源がＯＮして、リセットＩＣの入力（VDD）が解除電圧（VDET+）まで立ち上がると任意の遅延時間（td）経過後に、ＲＳＴ３１１はHighのリセット信号（XRST）を出力するのは上述の第１の実施の形態と同様である。ここでは、リセットＩＣの入力（VDD）が解除電圧（VDET+）まで立ち上がり、コンパレータで10Vの分圧電圧がリファレンス電圧（Vref）まで立ち上がると、コンパレータからHighの比較信号（Vcp）が出力される。電源がＯＦＦした時は、入力（VDD）が検出電圧（VDET-）まで立ち下がるタイミングより、コンパレータで10Vの分圧電圧がリファレンス電圧（Vref）まで立ち下がるタイミングの方が早い。このため、入力（VDD）が検出電圧（VDET-）まで立ち下がる前に、コンパレータで10Vの分圧電圧がリファレンス電圧（Vref）まで立ち下がると、コンパレータからLowの比較信号（Vcp）が出力される。このとき、Lowの比較信号（Vcp）の出力に応じて、ＲＳＴ３０１は、Lowのリセット信号（XRST）を出力する。従って、電源のＯＦＦ時には、Lowのリセット信号（XRST）が出力されるタイミングは、図１２に示したシーケンスにおいてそれが出力されるタイミングよりΔｔ早くなる。この結果、ＴＧ３０２がリセットされた状態となり、上述したＣＣＤ駆動信号（CCD_CLK）、ＡＦＥ駆動信号（SHD、MCLK）及び各種ゲート信号（GATE）の出力をＯＦＦするタイミングも、図１２に示したシーケンスにおいてそれらの信号の出力をＯＦＦするタイミングよりもΔｔ早くなる。
【００６５】
従って、以上のような構成によれば、ＴＧ３０２から出力される信号が入力される各デバイスの過電圧を効果的に回避することができる。
【００６６】
[第３の実施の形態]
次に、画像形成装置の第３の実施の形態について説明する。なお、上述の第１の実施の形態又は第２の実施の形態と共通する部分については、同一の符号を使用して説明したり、説明を省略したりする。
【００６７】
（１）構成
上述の第１の実施の形態及び第２の実施の形態においては、過電圧を発生させる要因が、センサ制御基板３１０の有する各デバイスの電源の電圧が立ち上がっていない状態でＴＧ３０２から出力される信号が入力されることである場合に過電圧を回避する構成について説明した。本実施の形態においては、更に、他の要因によって発生する過電圧を回避する構成について説明する。図８に示したように、ＣＣＤ２０７から出力される画像信号（SIG）はＥＦ３０５でＡＣ結合が行われてＡＦＥ３０６に入力される。このため、ＣＣＤ２０７が出力する画像信号（SIG）の変化はそのままＡＦＥ３０６に伝わる。つまり、ＣＣＤ２０７の電源の電圧が立ち上がったばかりの場合や、ＣＣＤ２０７にＣＣＤ駆動信号（CCD_CLK）が入力された場合などの過渡状態で発生する、画像信号（SIG）（オフセットレベル）の変化がＡＦＥ３０６の過電圧や過電流を引き起こす恐れがある。このため、本実施の形態においては、このような過渡状態で発生する、画像信号（SIG）（オフセットレベル）の変化を要因としてＡＦＥ３０６で発生する過電圧を回避するための構成について説明する。本実施の形態においては、上述の第１の実施の形態及び第２の実施の形態で説明したリセット信号（XRST）を用いてＡＦＥ３０６への画像信号（SIG）の入力のＯＮ／ＯＦＦを制御する。ＡＦＥ３０６への画像信号（SIG）の入力のＯＮ／ＯＦＦは、ＥＦの出力を制御することで可能である。
【００６８】
図１６は、本実施の形態にかかるセンサ制御基板３２０の構成を例示する図である。同図に示される構成では、ＲＳＴ３１１から出力されるリセット信号（XRST）が、ＥＦ３２１に入力される。ＥＦ３２１は、リセット信号（XRST）がHighであるとき、画像信号（SIG）をバッファしてＡＣ結合してこれをＡＦＥ３０６に出力し、リセット信号（XRST）がLowであるとき、画像信号（SIG）を出力しない。
【００６９】
次に、ＥＦ３２１の内部構成について説明する。まず、従来のＥＦ３０５の構成について説明する。図１７は、ＥＦ３０５の内部構成を例示する図である。同図に示されるように、ＥＦ３０５は２段のエミッタフォロワ回路を用いて構成される。図１８は、本実施の形態にかかるＥＦ３２１の内部構成を例示する図である。同図に示されるＥＦ３２１では、２段のエミッタフォロワ回路の電源及びＧＮＤ側にトランジスタでスイッチＱ１，Ｑ２を構成し、リセット信号（XRST）がHighであるときスイッチＱ１，Ｑ２をＯＮし、リセット信号（XRST）がLowであるとき、スイッチＱ１，Ｑ２をＯＦＦする。スイッチＱ１，Ｑ２がＯＮになると、画像信号（SIG）の出力がＯＮとなり、スイッチＱ１，Ｑ２がＯＦＦであれば、画像信号（SIG）の出力がＯＦＦとなる。尚、同図に示される構成においては、スイッチＱ１のベースにＲＣ回路を構成しているが、これはＥＦ３２１の出力をＯＮする際に電圧の急激な変化がＡＦＥ３０６に伝わらないようにするためである。スイッチＱ１をＯＦＦするには、ベースに接続された容量に溜まった電荷をトランジスタＱ３を介して放電する。トランジスタＱ４はトランジスタＱ３を制御するためのスイッチトランジスタである。
【００７０】
このような構成によれば、ＣＣＤ２０７の電源の電圧が立ち上がったばかりの場合や、ＣＣＤ２０７にＣＣＤ駆動信号（CCD_CLK）が入力された場合などの過渡状態では、２段目のエミッタフォロワ回路をＯＦＦすることができる。このため、ＣＣＤ駆動信号（CCD_CLK）の出力がＯＮ／ＯＦＦされる場合にＡＦＥ３０６の過電圧や過電流を回避することができる。また、ＡＦＥ３０６にマイナスの過電圧がかかった場合、スイッチＱ２をＯＦＦしても、１段目エミッタフォロワ回路のエミッタ抵抗を介してＡＦＥ３０６からＥＦ３２１に電流が流れるが、通常エミッタ抵抗は数百〜数kΩであるため過電流の問題はない。
【００７１】
[第４の実施の形態]
次に、画像形成装置の第４の実施の形態について説明する。なお、上述の第１の実施の形態乃至第３の実施の形態と共通する部分については、同一の符号を使用して説明したり、説明を省略したりする。
【００７２】
（１）構成
上述したＴＧ３０２をリセットすることは、シリアル通信（SCI）により行なうことも可能である。しかし、ＴＧ３０２がリセットされている間はＴＧ３０２からの信号の出力もＯＦＦするため、この場合もＡＦＥ３０６に過電圧が発生する恐れがある。そこで本実施の形態においては、更に、このような場合に発生する過電圧を回避する構成について説明する。本実施の形態においては、リセット信号（XRST）ではなく、リセット信号（XAFERST）を用いてＡＦＥ３０６への画像信号（SIG）の入力のＯＮ／ＯＦＦを制御する。上述したように、リセット信号（XAFERST）は、ＴＧ３０２がリセットされているときにLowであり、ＴＧ３０２のリセットが解除されているときHighであるため、ＴＧ３０２のリセット状態をモニタした信号ともいえる。上述したようにリセット信号（XAFERST）はＡＦＥ３０６のリセット状態を変更するために用いられるが、本実施の形態においては、この信号をＡＦＥ３０６への画像信号（SIG）の入力のＯＮ／ＯＦＦを制御するために用いる。
【００７３】
図１９は、本実施の形態にかかるセンサ制御基板３３０の構成を例示する図である。同図に示される構成では、ＴＧ３０２から出力されるリセット信号（XAFERST）が、ＥＦ３３１に入力される。ＥＦ３３１は、リセット信号（XAFERST）がHighであるとき、画像信号（SIG）をバッファしてＡＣ結合してこれをＡＦＥ３０６に出力し、リセット信号（XAFERST）がLowであるとき、画像信号（SIG）を出力しない。
【００７４】
図２０は、本実施の形態にかかるＥＦ３３１の内部構成を例示する図である。同図に示されるＥＦ３３１の構成は、上述した第３の実施の形態にかかるＥＦ３２１の構成と略同様であるが、ＥＦ３２１の構成と異なる点は、ＥＦ３３１に入力されるリセット信号が、リセット信号（XRST）ではなくリセット信号（XAFERST）である点である。
【００７５】
図２１は、ＲＳＴ３１１が出力するリセット信号（XRST）及びＴＧ３０２が出力する信号のシーケンスを示す図である。同図に示されるタイミングｔ１において、シリアル信号（SCI）によりＴＧ３０２がリセットされると、ＴＧ３０２から出力されるリセット信号（XAFERST）がLowになる。このとき、ＥＦ３３１では、画像信号（SIG）の出力がＯＦＦとなる。また、タイミングｔ２において、シリアル信号（SCI）によりＴＧ３０２のリセットが解除されると、ＴＧ３０２から出力されるリセット信号（XAFERST）がHighになる。このとき、ＥＦ３３１では、画像信号（SIG）の出力がＯＮとなる。
【００７６】
以上のような構成によれば、シリアル通信（SCI）によりＴＧ３０２のリセット状態が変更される場合であっても、ＡＦＥ３０６に発生する過電圧を回避することができる。従って、このため、ＣＣＤ駆動信号（CCD_CLK）の出力がＯＮ／ＯＦＦされる全ての場合にＡＦＥ３０６の過電圧や過電流を回避することができる。
【００７７】
[変形例]
なお、本発明は前記実施形態そのままに限定されるものではなく、実施段階ではその要旨を逸脱しない範囲で構成要素を変形して具体化できる。また、前記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。また、以下に例示するような種々の変形が可能である。
【００７８】
上述の各実施の形態では、画像読取装置を備える画像形成装置として複合機を取り扱ったが、これに限らず、コピー機能、スキャナ機能及びファクシミリ機能のうち少なくとも１つの機能を有するものであっても良い。
【００７９】
また、画像形成装置ではなく、イメージスキャナなどの画像読取装置に、上述の各実施の形態にかかる構成を適用しても良い。
【符号の説明】
【００８０】
１０：スキャナ  ２０：操作ボード
３０：自動原稿送り装置（ＡＤＦ）    ３４：フィニッシャ
３４ｈｓ：積載降下トレイ  
３４ｓｔ：ソートトレイ群
１００：プリンタ    ＰＣ：パソコン
ＰＢＸ：交換器            ＰＮ：通信回線
１０２：光書込ユニット  １０３，１０４：給紙カセット
１０５：レジストローラ対  １０６：転写ベルトユニット
１０７：定着ユニット      １０８：排紙トレイ
１１０Ｍ，１１０Ｃ，１１０Ｙ，１１０Ｋ：感光体ユニット
１１１Ｍ，１１１Ｃ，１１１Ｙ，１１１Ｋ：感光体ドラム
１２０Ｍ，１２０Ｃ，１２０Ｙ，１２０Ｋ：現像ユニット
１６０：転写搬送ベルト    ＡＣＰ：画像データ処理装置
ＣＤＩＣ：画像データインターフェース制御
ＩＭＡＣ：画像メモリアクセス制御
ＩＰＰ：画像データ処理器
２３１：コンタクトガラス    ２３２：照明ランプ
２３３：第１ミラー      ２３４：第２ミラー
２３５：第３ミラー      ２３６：レンズ
２０７：ＣＣＤ          ２３８：走行体モータ
２３９：基準白板        ２４０：読み取りガラス
２４１：原稿トレイ    ２４２：ピックアップローラ
２４３：レジストローラ対  ２４４：搬送ドラム
２４５：押さえローラ  ２４６，２４７：排紙ローラ
２４８：排紙トレイ
２４９：基点センサ      
２５１：スケール        
３００，３１０，３２０，３３０：センサ制御基板
３０１，３１１：ＲＳＴ
３０２：ＴＧ
３０３：ＤＲＶ
３０５，３２１，３３１：ＥＦ
３０６：ＡＦＥ
【先行技術文献】
【特許文献】
【００８１】
【特許文献１】特開２００７−２１４６８８号公報
【特許文献２】特開２００６−３１４０２９号公報
【図１】
2010219631.tif 000003
【図２】
2010219631.tif 000004
【図３】
2010219631.tif 000005
【図４】
2010219631.tif 000006
【図５】
2010219631.tif 000007
【図６】
2010219631.tif 000008
【図７】
2010219631.tif 000009
【図８】
2010219631.tif 000010
【図９】
2010219631.tif 000011
【図１０】
2010219631.tif 000012
【図１１】
2010219631.tif 000013
【図１２】
2010219631.tif 000014
【図１３】
2010219631.tif 000015
【図１４】
2010219631.tif 000016
【図１５】
2010219631.tif 000017
【図１６】
2010219631.tif 000018
【図１７】
2010219631.tif 000019
【図１８】
2010219631.tif 000020
【図１９】
2010219631.tif 000021
【図２０】
2010219631.tif 000022
【図２１】
2010219631.tif 000023